(57)【要約】【課題】携帯と保管に便利な薄型印鑑を提供する。【解決手段】印鑑部と印鑑ケース部とからなり印鑑ケース部は浅く細長の角形容器状の上側ケースと下側ケースとし、両ケースは長手方向の一端に取り付けた第１の蝶番により結合して他端側を開閉自在とする。印鑑部は上側ケースの他端側の内底面端部に取り付けた第２の蝶番により傾動可能とした傾動板とその表面に貼り付けた薄板状の印鑑本体とで構成する。下側ケースの他端側の内底面端部には傾動板を傾動させた状態でその傾動側端部をはめ込みできる溝を形成する。傾動板と印鑑本体は印鑑ケース部を閉じた状態ではケース内に納まる大きさとし、傾動させて傾動側端部を溝にはめ込んだ状態では印鑑本体の刻印面が上側ケースと下側ケースの他端側外側端部よりも外側に位置するように印鑑本体の厚みを形成しておく。【選択図】図７
2010260245.tif 000002
【特許請求の範囲】
【請求項１】
印鑑部と印鑑ケース部とからなる薄型印鑑であって、前記印鑑ケース部は浅く細長の角形容器状に形成された上側ケースと、該上側ケースとほぼ対称形状に形成された下側ケースとからなり、両ケースは長手方向の一端に取り付けた第１の蝶番により結合して他端側を開閉自在に構成してあり、
前記印鑑部は前記上側ケースの他端側の内底面端部に取り付けた第２の蝶番と、該第２の蝶番にて前記上側ケースの内底面に略平行と略直角の間に傾動可能に取り付けた傾動板と 、該傾動板に刻印面を外側にして貼り付けた薄板状の印鑑本体とからなり、
前記下側ケースの他端側の内底面端部には、前記傾動板を傾動させた状態でその傾動側端部をはめ込みできる溝が形成してあり、前記傾動板と印鑑本体は前記印鑑ケース部を閉じた状態にてケース内に納まる大きさで、且つ、前記傾動板を傾動させてその傾動側端部を前記溝にはめ込んだ状態で前記上側ケースと下側ケースに閉じる方向の力を加えることによって傾動状態を維持させた姿勢では前記印鑑本体の刻印面が上側ケースと下側ケースの他端側の外側端部よりも外側に位置するように印鑑本体の厚みが形成してあることを特徴とする薄型印鑑。
【請求項２】
請求項１に記載の薄型印鑑において、前記上側ケースの他端側寄りの内底面にスタンプ台又は朱肉台を追加取り付けし、印鑑ケース部を閉じた状態では前記印鑑本体の刻印面が該スタンプ台又は朱肉台の表面に当接するように構成してあることを特徴とする薄型印鑑。
【発明の詳細な説明】
【技術分野】
【０００１】
本発明は、鞄、ハンドバック、財布等に入れて常時携帯したり保管したりするのに便利な薄型印鑑に関する。
【背景技術】
【０００２】
現状、多用されている印鑑は円柱状又は角柱状に形成した印材の一端面に印影を刻印したものである。これら印鑑は印鑑ケースに入れて保管されたり携帯されたりするが、印材は円柱状又は角柱状で太さがあるため収納する印鑑ケースが太くかさばり、携帯や保管に不便である。
【０００３】
この問題を解決するために携帯や保管に便利な薄型印鑑が各種、提案されている。例えば、特許文献１にはカード形状の印材の片面に印を貼り付けたカード型印鑑が開示されている。しかし、このカード型印鑑は印字面の背面を指で押して捺印する方式であるため朱肉を付けたり捺印したりする際の操作性が良くない問題がある。
【０００４】
また、特許文献２には、印字部、薄形取手、印字部を取手面に平行又は直角に回転される蝶番、印字部を取手面に平行又は直角状態に固定するためのスライドグリップを備えた薄型印鑑が開示されている。しかし、この薄型印鑑の場合も携帯や保管のためには印鑑ケースが別途必要になるため全体としてかさばったものになる問題がある。
【先行技術文献】
【特許文献】
【０００５】
【特許文献１】特開平１１−５８９０６号公報
【特許文献２】特開平０６−７９９６１号公報
【発明の概要】
【発明が解決しようとする課題】
【０００６】
本発明は、従来技術のこうした問題点を解決するためになされたもので、その課題は印鑑部と印鑑ケース部とを備えて全体として薄型に構成して携帯と保管を容易にする薄型印鑑を提供することにある。
【課題を解決するための手段】
【０００７】
前記課題を解決するための請求項１に記載の発明は、印鑑部と印鑑ケース部とからなる薄型印鑑であって、印鑑ケース部は浅く細長の角形容器状に形成された上側ケースと、該上側ケースとほぼ対称形状に形成された下側ケースとからなり、両ケースは長手方向の一端に取り付けた第１の蝶番により結合して他端側を開閉自在に構成してあり、印鑑部は上側ケースの他端側の内底面端部に取り付けた第２の蝶番と、該第２の蝶番にて上側ケースの内底面に略平行と略直角の間に傾動可能に取り付けた傾動板と 、該傾動板に刻印面を外側にして貼り付けた薄板状の印鑑本体とからなり、下側ケースの他端側の内底面端部には、傾動板を傾動させた状態でその傾動側端部をはめ込みできる溝が形成してあり、傾動板と印鑑本体は印鑑ケース部を閉じた状態にてケース内に納まる大きさで、且つ、傾動板を傾動させてその傾動側端部を前記溝にはめ込んだ状態で上側ケースと下側ケースに閉じる方向の力を加えることによって傾動状態を維持させた姿勢では印鑑本体の刻印面が上側ケースと下側ケースの他端側の外側端部よりも外側に位置するように印鑑本体の厚みが形成してあることを特徴とする薄型印鑑である。
【０００８】
このような構成によれば、保管したり携帯したりする際には印鑑部を印鑑ケース部内に折り畳んで収納できる。このため印鑑本体の径が大きい場合でも収納した状態での厚みが薄くなり保管、携帯が容易になる効果を奏する。
【０００９】
また、請求項２に記載の発明は、請求項１に記載の薄型印鑑において、上側ケースの他端側寄りの内底面にスタンプ台又は朱肉台を追加取り付けし、印鑑ケース部を閉じた状態では印鑑本体の刻印面が該スタンプ台又は朱肉台の表面に当接するように構成してあることを特徴とする薄型印鑑である。
【００１０】
このような構成によればスタンプ台又は朱肉台を別に準備する必要がなくなり、印鑑の携帯が便利になる。
【図面の簡単な説明】
【００１１】
【図１】本発明に係る薄型印鑑１の外観平面図である。
【図２】薄型印鑑１の外観側面図である。
【図３】図１のＡ−Ａ線に沿った断面図である。
【図４】薄型印鑑１を少し開かせた状態の断面図である。
【図５】図４のＢ−Ｂ線から見た上側ケース２の開口部の平面図である。
【図６】図４のＣ−Ｃ線から見た下側ケース３の開口部の平面図である。
【図７】傾動板１１を傾動させて下側ケース３の溝１６に端をはめ込んだ状態の断面図である。
【図８】角形シース状のキャップ２２の斜視図である。
【図９】薄型印鑑１をキャップ２２内に収納した状態の斜視図である。
【図１０】刻印面１４をスタンプ台又は朱肉台２４表面に押しつけでいる状態図である。
【図１１】変形実施形態に係る薄型印鑑１ａの断面図である。
【図１２】薄型印鑑１ａの図６相当図である。
【発明を実施するための形態】
【００１２】
以下、本発明に係る薄型印鑑の一実施形態について図面を参照して説明する。図１は、その薄型印鑑１の外観平面図、図２は外観側面図、図３は図１のＡ−Ａ線に沿った断面図である。薄型印鑑１は細長で浅い角形容器状の上側ケース２と、それとほぼ対称形状に形成された下側ケース３とを開口面を向かい合わせにして重ねた外観で全体として平板な直方体状になっている。
【００１３】
薄型印鑑１は印鑑部７と印鑑ケース部８とから構成されている。印鑑ケース部８は上側ケース２、下側ケース３、第１の蝶番４により構成されており、第１の蝶番４は上側ケース２と下側ケース３の長手方向の一端の外側に取り付けてある。両ケースはこの第１の蝶番４により結合されて他端側が開閉できる構成にしてある。印鑑部７はその印鑑ケース部８の内部に収納されている。
【００１４】
図４は図３の状態から第１の蝶番４とは反対側の他端側を少し開かせた状態の断面図である。図５は図４のＢ−Ｂ線から見た上側ケース２の開口部の平面図、図６は図４のＣ−Ｃ線から見た下側ケース３の開口部の平面図である。
【００１５】
印鑑部７は第２の蝶番１０、傾動板１１、印鑑本体１２とから構成されている。第２の蝶番１０は、上側ケース２における第１の蝶番４とは反対側の内底面の端に取り付けてある。傾動板１１は略正方形の薄板で構成され、第２の蝶番１０により図４中の矢印１３の方向に傾動できるように取り付けてある。傾動板１１は、印鑑ケース部８を閉じた状態では図３に示すように上側ケース２の内底面に略平行となって内底面にほぼ接した状態となる。印鑑ケース部８を開いた状態では、傾動板１１は図７に示すように上側ケース２の内底面にほぼ直角になるまで傾動できる。傾動板１１の表面には図３、図４、図５に示すように、薄板状の印鑑本体１２が刻印面１４を外側にして貼り付けてある。印鑑本体１２の平面形状は円形、四角形等、様々である。
【００１６】
下側ケース３における第１の蝶番４とは反対側の内底面の端部には溝１６が設けてある。この溝１６は、図７に示すように大きく傾動させた傾動板１１の傾動側端部をはめ込むためのものである。はめ込んだ状態で上側ケース２と下側ケース３に閉じる方向の力を加え、傾動板１１の上下端を挟持して傾動角度一定に保持する。図７に示すように傾動板１１を傾動角度一定に保持した状態では、傾動板１１に貼り付けた印鑑本体１２の刻印面１４は、上側ケース２と下側ケース３の長手方向外側端部１７、１８よりも外側に位置するように印鑑本体１２の厚みが形成してある。下側ケース３の中央部内底面には図３、図６に示すようにクッション２０が取り付けてある。クッション２０は、上下ケース２、３を閉じた状態では刻印面１４を下から支えて印鑑本体１２のガタツキを防止する。
【００１７】
薄型印鑑１の上側ケース２と下側ケース３を閉じた状態で携帯、保管するときは、図８に示すような角形シース状のキャップ２２を用いる。図９は、薄型印鑑１をキャップ２２内に収納した状態の斜視図である。
【００１８】
薄型印鑑１を使用する際は、キャップ２２内から薄型印鑑１を取り出し、図４に示すように上側ケース２と下側ケース３の他端側を開く。開いた状態で印鑑本体１２が貼り付けてある傾動板１１を指で起こし、図７に示すように傾動板１１の傾動側端を下側ケース３の溝１６にはめ込む。はめ込んだ状態で上側ケース２と下側ケース３に閉じる方向の力を加え、傾動板１１の上下端を挟持して傾動角度一定に維持する。その状態で図１０に示すように刻印面１４をスタンプ台又は朱肉台２４の表面に押しつけて朱肉又はインクをその表面に付け、次に書面の所定個所に押しつけて押印する。押印後は反対操作により薄型印鑑１を閉じてキャップ２２内に戻して保管する。
【００１９】
本実施形態の薄型印鑑１の場合は、保管したり携帯したりする際には印鑑部７を印鑑ケース部８内に折り畳んで収納できる。このため印鑑本体１２の径が大きい場合でも収納した状態での厚みが薄くなり保管、携帯が容易となる効果を奏する。
【００２０】
（変形実施形態）
本変形実施形態は印鑑ケース部８内にスタンプ台又は朱肉台２４を取り付けた実施形態である。図１１はその薄型印鑑１ａの断面図であり、前記図３相当図である。図１２は下側ケース３の開口部の平面図であり、前記図６相当図である。印鑑ケース部８を閉じた状態では、印鑑本体１２の刻印面１４がスタンプ台又は朱肉台２４の表面に当接した状態となる。これにより刻印面１４にインク又は朱肉が付くと同時に、スタンプ台又は朱肉台２４が刻印面１４を下から支えて印鑑本体１２のガタツキを防止する。
【００２１】
このような構成によればスタンプ台又は朱肉台を別に準備する必要がなくなり、印鑑の携帯に便利になる。
【符号の説明】
【００２２】
図面中、１、１ａは薄型印鑑、２は上側ケース、３は下側ケース、４は第１の蝶番、７は印鑑部、８は印鑑ケース部、１０は第２の蝶番、１１は傾動板、１２は印鑑本体、１４は刻印面、１６は溝、１７、１８は他端側外側端部、２０はクッション、２２はキャップ、２４はスタンプ台又は朱肉台を示す。
【図１】
2010260245.tif 000003
【図２】
2010260245.tif 000004
【図３】
2010260245.tif 000005
【図４】
2010260245.tif 000006
【図５】
2010260245.tif 000007
【図６】
2010260245.tif 000008
【図７】
2010260245.tif 000009
【図８】
2010260245.tif 000010
【図９】
2010260245.tif 000011
【図１０】
2010260245.tif 000012
【図１１】
2010260245.tif 000013
【図１２】
2010260245.tif 000014